(57)【特許請求の範囲】
【請求項１】
下面から給送して記録書込み処理した記録紙を後部上面に向けて排出する形式の小型プリンタにおいて、
プリンタ本体の後端面中央にスタッドを立設する一方、プリンタ本体を立てた姿勢で保持する機能と排出された記録紙を受ける機能を有する板状のスタンド兼スタッカ部材に長手方向一端部から中央部に向けて延びる長孔を設けて、該スタンド兼スタッカ部材を前記２つの機能位置と収納位置の３つの位置に変位させるべく、前記長孔を介して前記スタッドに回動自在かつ摺動自在に取り付けたことを特徴とする小型プリンタ。
【発明の詳細な説明】
【０００１】
【産業上の利用分野】
本発明は、縦置き横置きが可能なマルチポーズ型の小型プリンタに関する。
【０００２】
【従来の技術】
供給すべき記録紙の収納スペース、排出された記録紙の載置スペースをも考慮して可能な限り占有スペースの小さなプリンタを構成するには、記録紙の収納スペースをプリンタの下面に設けて、ここから引込んだ記録紙をプリンタの上面後方に排出するようにするのが操作上からも好ましく、また、配置箇所によっては、プリンタを縦にしたり横にしたりして使用できるように構成することが望ましい。
【０００３】
ところが、このようにプリンタを構成した場合、横置き時には、上方に排出された記録紙が自重により前後に散らばってその始末が問題となり、また縦置き時には、収納した記録紙の重みによりプリンタが倒れ易くなるため、適宜の排紙トレイや支持脚を用いる必要が生じ、この結果、移送時にこれらの部品が邪魔になったり、縦置き横置きによっては一方が不要になる関係上、これらの部品をじきに紛失させてしまうといった別の問題が派生する。
【０００４】
【発明が解決しようとする課題】
本発明はこのような問題に鑑みてなされたもので、その目的とするところは、縦置き横置きの如何に拘わりなく、収容可能な単一の部材によってプリンタ本体及び排出記録紙の安定的な支持を可能にする新たな小型プリンタを提供することにある。
【０００５】
【課題を解決するための手段】
すなわち、本発明はかかる課題を解決するために、下面から給送した記録紙を後部上面より排出する形式の小型プリンタにおいて、プリンタ本体の後端面中央に保持部を設ける一方、プリンタ本体を立てた姿勢で保持する機能と排出された記録紙を受ける機能とを有する板状のスタンド兼スタッカ部材に長手方向一端部から中央部へ延びる長孔を設けて、このスタンド兼スタッカ部材に２つの機能位置と収納位置の３つの位置を保持させるべく、長孔を介してスタンド兼スタッカ部材を保持部に回動自在かつ摺動自在に取り付けるようにしたものである。
【０００６】
【実施例】
そこで以下に本発明の実施例について説明する。
図面はいずれも本発明の一実施例を示したものである。
図において符号１０はプリンタ本体１のケーシングで、このケーシング１０の内部には、操作側を手前としてその内奥部に、厚み方向に延びる紙搬送路２が形成され、ここには、ケーシング１の下方から上方に向けて給紙ローラ３、紙送りローラ５及びプラテン６が順に配設され、またプラテン６には、キャリッジガイド７上を走行するキャリッジ８と、リボンカートリッジ９が対向して配設されている。
【０００７】
このケーシング１０は、例えばＡ４サイズの巾より若干広い巾を有する薄い箱型状に形成され、その後端面に設けた巾方向一杯に延びる浅い凹部は、後述するスタンド兼スタッカーボード２０を収容するボード収納凹部１１として、また、下面に設けた長手方向一杯に延びる浅い凹部は、後述する給紙トレイ２５を収容するトレイ収納凹部１６として形成されている。
【０００８】
上記したスタンド兼スタッカーボード２０は、プリンタ本体１を横置きにした場合に、その上面側に直角に突出させて排紙口１８から排出されてきた記録紙を受けることができるように、また縦置きにした場合には、下面側に直角に突出させてプリンタ本体１の倒れを抑えるようにするためのもので、このボード２０には、基端から長手方向中央に達する長孔２１が設けられ、この長孔２１を介してケーシング後端面中央に設けた支持スタッド１２に摺動自在にかつ回動自在に枢着されている。
【０００９】
一方、このボード２０を収容するケーシング後端面のボード収納凹部１１には、その中央に上記した支持スタッド１２が立設され、またこの支持スタッド１２の下面側近傍には、下面に向けて徐々に深くなるような断面三角形状の傾斜付け凹部１３が設けられていて、この部分に基端部を挿入することにより、ボード２０を後方に傾斜させた状態で立設支持することができるように構成されている。
【００１０】
これに対してケーシング１０の下面に設けた収納凹部１６は、その先端がケーシング１０の巾方向一杯に開口した記録紙横向き挿入用スリット１７にまで達していて、ここには、記録紙を収納する給紙トレイ２５が給紙ローラ３の軸４を支点として半開き状に開閉し得るように、かつ先端がスリット１７に臨むように収容可能に取付けられている。
【００１１】
この給紙トレイ２５には、またその下面に設けた２本のガイド２６に沿ってサブトレイ２７が手前側に引出せるように取付けられていて、給紙トレイ２５上に載置した記録紙の後端を手前側端部に設けた鍵型曲成部２８に掛けるようにして支えるように構成されている。
【００１２】
なお、図中符号１４は、スタンド兼スタッカーボード２０に設けた係止用のダボ２２と係合してボード２０を収納位置に係止する係止孔、１５はこのボード２０を収納位置に度決めするストッパを示しており、また１９はプリンタ本体１の上面を覆う蓋を示している。
【００１３】
このように構成されたプリンタ本体１は、使用しない場合あるいは移送する場合に、給紙トレイ２５をトレイ収納凹部１６内に収容するとともに、スタンド兼スタッカーボード２０を、ボード収納凹部１１に平行になるように回転させて、係止孔１４とストッパ１５により凹部１１内に位置決め収容する。
【００１４】
この状態でつぎに、このプリンタ本体１を横にして使用する場合には、スタンド兼スタッカーボード２０を、図１の２点鎖線で示した収容状態から９０°回転させて上方に引上げる。
これにより、ボード２０は基端が断面三角形状のボード傾斜付け凹部１３に入り込んで、図１、図２に示したように後方に傾斜するから、この状態で記録書込みを行えば、排紙口１８から上向きに排紙された記録紙はそのままスタンド兼スタッカーボード２０の上に載置されることになる。
【００１５】
またこのプリンタ本体１を縦にして使用する場合には、予めスタンド兼スタッカーボード２０を下面側に引出した上、プリンタ本体１を立てて載置する。これにより、図３に示したように、プリンタ本体１は下面側への倒れが抑えられるから、この状態で、必要に応じて給紙トレイ２５を半開き状に開き、ここに必要枚数の記録紙を装填して記録書込みを行えば、記録紙は給紙トレイ２５を開いた分浅い角度で紙搬送路２内に引込まれることになって、給紙がより円滑に行われる。また、ハガキ等の厚手の紙に書込む場合には、図３に矢印で示したように、給紙トレイ２５の下端から紙を水平にしてスリット１７内に手差しすれば、紙は紙搬送経路２に沿ってプラテン６のもとへとまっすぐに送り込むことができ、同様に、例えばＡ３の記録紙を横にして使用する場合には、ケーシング１０の巾一杯に延びたこのスリット１７を利用してここに記録紙を横にして差込めばよい。
【００１６】
以上述べたように本発明によれば、長孔を設けたスタンド兼スタッカ部材に、プリンタ本体を立てた姿勢で保持する機能と排出された記録紙を受ける機能をもたらす２つの位置及び収納位置の３つの位置を保持させるべく、保持部に回動自在かつ摺動自在に取り付けるようにしたので、使用しない時はプリンタ本体後端面に収納しておき、プリンタを横置きにした際には排出した記録紙の受ける部材とし、またプリンタを立てた際には倒れを防ぐ部材として専用の部材を必要とすることなく単一の部材により各種の使用形態に容易に対応させて、小型プリンタをより機能的にかつより簡素化させることができる。
【図面の簡単な説明】
【図１】横向き状態をもって示した本発明の一実施例をなす装置の斜視図である。
【図２】他の向きから示した同上装置の斜視図である。
【図３】縦置き状態もって示した同上装置の斜視図である。
【図４】同上装置を断面で示した側面図である。
【符号の説明】
１０  ケーシング
１１  ボード収納凹部
１２  支持スタッド
１３  ボード傾斜付け凹部
１６  トレイ収納凹部
２０  スタンド兼スタッカーボード
２５  給紙トレイ
【図１】
0003574149.tif 000002
【図２】
0003574149.tif 000003
【図３】
0003574149.tif 000004
【図４】
0003574149.tif 000005